(57)【要約】【課題】洗濯槽の底板内面に発生するカビ類が洗濯物に付着することを防止し、洗濯物の仕上がり品質の低下を有効に防止し得る洗濯機を提供する。【解決手段】洗濯機は、有底円筒形の洗濯槽２の内部に同軸上にて回転する回転ドラム３を備えている。洗濯槽２は、前下部に連設した貯水槽５を備え、洗濯水又は濯ぎ水は、給水管60を介して貯水槽５内に給水し、循環水管53を介して回転ドラム３内に給水する。洗濯槽２の後下部に、貯水槽５の連設部から離れて集水部７を設け、洗濯槽２の底板に沿って流下する水は、貯水槽５には戻さず、集水部７に集めて、連通管71及び排水管56を経て機外に排出するように構成する。【選択図】図２
2011250944.tif 000002
【特許請求の範囲】
【請求項１】
有底円筒形をなし、軸心を横向き又は斜め横向きとして支持された洗濯槽の内部に、該洗濯槽と同軸上にて回転する回転ドラムを備え、該回転ドラムが低速回転する洗い及び濯ぎ運転中は、前記洗濯槽内の水を循環水路を経て前記回転ドラム内に供給して循環使用する一方、前記回転ドラムが高速回転する脱水運転中には、該回転ドラム内の洗濯物から脱水された水を排水路を経て機外に排出する洗濯機において、
前記洗濯槽の底板近傍に設けてあり、該底板に沿って流下する水を集める集水部と、
該集水部を前記排水路に連通する連通路と
を備えることを特徴とする洗濯機。
【請求項２】
前記回転ドラムは、一側の開口に向けてテーパ状に拡径する有底円筒体であり、前記開口近傍の周壁を貫通する通水孔を有しており、
前記洗濯槽は、前記回転ドラムの開口と同側に設けた開口の近傍下部に、前記通水孔からの流出水を貯留し、前記循環水路及び排水路に夫々連通する貯水槽を備える請求項１に記載の洗濯機。
【請求項３】
前記貯水槽に接続され、該貯水槽の内部に抗菌作用を有する抗菌水を供給する給水手段を備える請求項２に記載の洗濯機。
【請求項４】
前記貯水槽は、前記洗濯槽の底板から離れた位置に設けてあり、前記脱水運転中にも水の貯留を継続する請求項２又は請求項３に記載の洗濯機。
【発明の詳細な説明】
【技術分野】
【０００１】
本発明は、有底円筒形の洗濯槽の内部に同軸上にて回転する回転ドラムを備える洗濯機に関する。
【背景技術】
【０００２】
近年広く普及しているドラム式の洗濯機は、軸心を横向き、又は斜め横向きとして支持された有底円筒形の洗濯槽と、該洗濯槽の内部で同軸上にて回転する回転ドラムとを備えている。回転ドラムを駆動するドラムモータは、洗濯槽の底板外面に取り付けてあり、回転ドラムは、洗濯槽の内側に突出するドラムモータの出力端に連結してある。
【０００３】
この種の洗濯機においては、洗濯、濯ぎ及び脱水運転が、個別又は一連の運転として実施される。洗濯運転は、回転ドラム内に洗濯物を投入し、洗濯槽内に適量の洗濯水を給水した後、回転ドラムを低速度にて反復回転させる手順によりなされる。洗濯物は、洗濯水を含み、回転ドラムの回転による持ち上げ及び落下を繰り返し、回転ドラムの周面に叩きつけられて叩き洗いされる。濯ぎ運転は、洗濯槽内に濯ぎ水を給水し、洗濯運転におけると同様に、回転ドラムを低速回転させる手順によりなされる。この濯ぎ運転は、通常、複数回繰り返して実行される。
【０００４】
また、ドラム式の洗濯機の多くは、洗濯槽の最下部と回転ドラムの前部開口とを連絡する循環水路を備えている。この循環水路は、洗濯、濯ぎ運転中に、洗濯水又は濯ぎ水を循環して回転ドラム内に噴射し、洗濯物に当てることで、洗浄及び濯ぎ効果を高めるために設けてある。
【０００５】
脱水運転は、濯ぎ運転の終了後、回転ドラムを高速度にて回転せしめてなされる。このとき、回転ドラム内の洗濯物は、該回転ドラムの周壁に張り付いた状態で一体回転し、該洗濯物に含まれる水は、高速回転に伴う遠心力の作用により分離し、該回転ドラムの周壁に貫通形成された通水孔を経て排出される。この脱水運転は、複数回の濯ぎ運転の開始前にも実施され、各回の濯ぎ運転は、洗濯物に含まれる水を適度に脱水した後、新たに濯ぎ水を給水してなされる。
【０００６】
以上の如く構成された洗濯機においては、洗濯槽の内面（周壁及び底板の内面）に、洗濯水又は濯ぎ水が、汚れ、洗剤成分と共に付着し、この付着部に、黒カビ等のカビ類が発生する虞れがある。なお、ドラム式の洗濯機は、乾燥機を兼ねる洗濯乾燥機として構成されるのが一般的であり、この場合、洗濯槽の内面の付着水の多くは、乾燥運転中に、回転ドラム及び洗濯槽内を循環する乾燥風と接触することで蒸発するが、洗濯槽の底板は、回転ドラムの底板と対向しており、乾燥風との接触が不十分であり、付着水が残り易く、カビ類の発生の虞れが大きい。
【０００７】
このように発生するカビ類は、洗濯又は濯ぎ運転中に前述の如く循環する循環水中に混入し、回転ドラム内に導入されて、該回転ドラム内の洗濯物に付着することとなり、該洗濯物の仕上がり品質を低下させるという問題があり、従来、この問題に対応することを目的とした種々の提案がなされている（例えば、特許文献１、２、３参照）。
【０００８】
特許文献１、２に開示された洗濯機は、循環水路の途中に循環水を貯留するタンクを設け、このタンク中にオゾンを供給して、浄化された貯留水を循環させることによりカビ類の発生を抑えており、更に、特許文献２の洗濯機においては、前記タンク及び循環水路を多孔質物質により形成し、循環水中に含まれる汚れ、洗剤成分を吸着除去し、洗濯槽内におけるカビ類の発生を抑制している。
【０００９】
また特許文献３に開示された洗濯機においては、抗菌性樹脂、ステンレス鋼等の抗菌性材料製の洗濯槽を使用し、水の付着部におけるカビ類の発生を防止している。
【先行技術文献】
【特許文献】
【００１０】
【特許文献１】特開２００７−９８０３３号公報
【特許文献２】特開２００７−１８１５９７号公報
【特許文献３】特開平９−２９９６９１号公報
【発明の概要】
【発明が解決しようとする課題】
【００１１】
以上の如き従来の洗濯機においては、洗濯槽の内面のカビ類の発生防止に対して一定の効果が得られるが、この効果は限定的であり、特に、付着水が残留し易い底板内面のカビ類の発生を有効に防止することは難しく、洗濯又は濯ぎ運転中に、洗濯槽の底板内面に接触する水にカビ類が混入し、循環水として回転ドラム内に導入されて、該回転ドラム内の洗濯物に付着するという問題を解消し得るものではない。
【００１２】
本発明は斯かる事情に鑑みてなされたものであり、洗濯槽の底板内面に発生するカビ類が洗濯物に付着することを防止し、洗濯物の仕上がり品質の低下を有効に防止することができる洗濯機を提供することを目的とする。
【課題を解決するための手段】
【００１３】
本発明に係る洗濯機は、有底円筒形をなし、軸心を横向き又は斜め横向きとして支持された洗濯槽の内部に、該洗濯槽と同軸上にて回転する回転ドラムを備え、該回転ドラムが低速回転する洗い及び濯ぎ運転中は、前記洗濯槽内の水を循環水路を経て前記回転ドラム内に供給して循環使用する一方、前記回転ドラムが高速回転する脱水運転中には、該回転ドラム内の洗濯物から脱水された水を排水路を経て機外に排出する洗濯機において、前記洗濯槽の底板近傍に設けてあり、該底板に沿って流下する水を集める集水部と、該集水部を前記排水路に連通する連通路とを備えることを特徴とする。
【００１４】
本発明においては、カビ類が発生し易い洗濯槽の底板の近傍に集水部を設け、該集水部に底板に接触して流下する水を集め、連通路を介して排水路中に排出して、循環水中へのカビ類の混入を防止し、カビ類の付着により洗濯物の仕上がり品質が低下することを防止する。
【００１５】
また本発明に係る洗濯機は、前記回転ドラムは、一側の開口に向けてテーパ状に拡径する有底円筒体であり、前記開口近傍の周壁を貫通する通水孔を有しており、前記洗濯槽は、前記回転ドラムの開口と同側に設けた開口の近傍下部に、前記通水孔からの流出水を貯留し、前記循環水路及び排水路に夫々連通する貯水槽を備えることを特徴とする。
【００１６】
この発明においては、開口側に向けて拡径し、開口近傍にのみ通水孔を備える回転ドラムを使用し、回転ドラムからの洗濯水の流出が、通水孔が設けられた開口の近傍、即ち、底板から離れた側で生じるようになし、底板近傍の集水部に集められる水との分離を確実にする。通水口からの流出水は、洗濯槽の該当位置に設けた貯水槽内に貯留し、洗濯又は濯ぎ運転中には、循環水路を経て循環させ、洗濯又は濯ぎ運転の終了後には、排水路を経て機外に排出する。なお、回転ドラム内の水は、回転ドラムの回転に伴う遠心力の作用により拡径された開口側に集まり、開口近傍に形成された通水孔から流出する。
【００１７】
また本発明に係る洗濯機は、前記貯水槽に接続され、該貯水槽の内部に抗菌作用を有する抗菌水を供給する給水手段を備えることを特徴とする。
【００１８】
この発明においては、洗濯水又は濯ぎ水を貯留する貯水槽の内部に抗菌作用を有する抗菌水を供給し、該貯水槽の内部にカビ類が発生することを防止する。抗菌水は、例えば、最終の濯ぎ工程に使用する濯ぎ水として供給する。抗菌水を含む濯ぎ水は、運転終了後にも貯水槽内に留めることで、次回の運転開始までの間に貯水槽内にカビ類が発生することを防止することができる。また、貯水槽内の貯留水は、次回の運転時の洗濯水として再利用することができ、節水効果を高めることができる。
【００１９】
抗菌水は、強力な抗菌作用を有する銀イオン（Ａｇ+ イオン）を含むイオン水であるのが望ましい。イオン水を貯水槽内に給水することにより、貯水槽内でのカビ類の発生を確実に防止することができる。
【００２０】
また本発明に係る洗濯機は、前記貯水槽が、前記洗濯槽の底板から離れた位置に設けてあり、前記脱水運転中にも水の貯留を継続することを特徴とする。
【００２１】
この発明においては、脱水運転中に貯水槽内部の貯留水がウエイトとして機能し、回転ドラムの高速回転に伴う洗濯槽の振動を抑制して、静粛な運転を可能とする。
【００２２】
循環水を貯留する貯水槽、及び貯水槽内の水を回転ドラム内に送り込む循環水路の内面には、抗菌処理を施すのが望ましい。これによって、貯水槽及び循環水路内でのカビ類の発生も抑制することができる。貯水槽及び循環水路の抗菌処理は、例えば、抗菌性樹脂により内面をコーティングすることにより実現される。また、貯水槽及び循環水路を、抗菌性樹脂、ステンレス綱等の抗菌性材料製とすることで実現される。
【発明の効果】
【００２３】
本発明に係る洗濯機においては、洗濯槽の内部の底板の近傍に集水部を設け、該集水部に底板に接触して流れ落ちる水を集めて他の水（循環水）と分離し、連通路を介して連通する排水路に排出するから、洗濯槽の底板に発生し易いカビ類が循環水に混入して回転ドラムに導入され、該回転ドラム内の洗濯物に付着する虞れを回避し、カビ類の付着に伴う洗濯物の仕上がり品質の低下を有効に防止することが可能となる等、本発明は優れた効果を奏する。
【図面の簡単な説明】
【００２４】
【図１】本発明に係る洗濯機の外観を略示する斜視図である。
【図２】本発明に係る洗濯機の内部構成を略示する縦断面図である。
【図３】本発明の他の実施の形態に係る洗濯機の内部構成を略示する縦断面図である。
【発明を実施するための形態】
【００２５】
以下本発明をその実施の形態を示す図面に基づいて詳述する。図１は、本発明に係る洗濯機の外観を略示する斜視図、図２は、本発明に係る洗濯機の内部構成を略示する縦断面図である。
【００２６】
図２に示すように、本発明の洗濯機は、外郭を構成する外箱１の内部に洗濯槽２を備えている。洗濯槽２は、洗濯物の投入のための開口20を一側に備える大径の有底円筒体であり、外箱１の底面に立設された支持脚（図示を省略する）により、開口20の側を上とし、軸心を斜め横向きとした姿勢で支持されている。外箱１の前面（図２中の左側面）には、洗濯槽２の開口20に臨むように、前蓋10により開閉自在に洗濯物の投入口11が開設されており、該投入口11と洗濯槽２前部に開口20との間は、ゴム等の弾性材料製のベローズ（図示を省略する）により液密に封止されている。
【００２７】
洗濯槽２の内部には、回転ドラム３が配してある。回転ドラム３は、一側の開口30に向けてテーパ状に拡径する有底円筒体であり、その底部を、洗濯槽２の底板中央部に取り付けたドラムモータ４の出力端に連結し、前記開口30を洗濯槽２の開口20の内側に合わせた状態で支持してあり、該ドラムモータ４の駆動により、洗濯槽２と同軸上にて回転するように構成されている。
【００２８】
以上の如く構成された回転ドラム３の内部には、外箱１前面の前蓋10を開操作して投入口11を開放し、該投入口11の内側に位置する開口20，30を経て洗濯物が投入される。図１に示すように、外箱１の前面には、前蓋10の近傍にドア開ボタン13が設けてあり、前蓋10は、ドア開ボタン13の押圧操作により開放される。また前蓋10の周縁には、閉止時に押圧する位置を示す押圧部14が設けてあり、前蓋10は、その周縁部を把持して投入口11に合わせる位置まで閉操作し、前記押圧部14の近傍を外側から押すことにより閉止される。
【００２９】
図２に示すように、回転ドラム３の周壁には、バッフル31、通水溝32及び通水孔33が設けてある。バッフル31は、周壁内面に適宜の高さを有して突設され、軸長方向に延びる凸条である。図２中には、上下に位置する２つのバッフル31，31が図示されているが、一般的には、３〜４つのバッフル31が、周方向に等配をなして設けてある。
【００３０】
通水溝32は、軸長方向に延びる浅底の凹溝であり、バッフル31の形成位置を除く回転ドラム３の周壁に、周方向に一定の間隔を隔てて複数並設されている。図２に示すように、各通水溝32，32…は、開口30の近傍で周方向に連通されており、前記通水孔33は、通水溝32，32…の連通部分の周壁を貫通するように複数開設されている。
【００３１】
一方、洗濯槽２には、前下部を下方に窪ませるように一体形成された貯水槽５が設けてある。貯水槽５は、内部に適量の水を貯留可能な水槽であり、該貯水槽５の底部は、導水管50を介してフィルタ部51に接続してある。図２中に円形のブロックにより略示するフィルタ部51は、繊維屑等の異物を捕捉するリントフィルタを筒形のフィルタケース内に収容保持する公知の構成を有している。
【００３２】
フィルタ部51の一側は、循環ポンプ52を介して循環水管53に接続されている。循環水管53は、洗濯槽２の前部に沿って上方に延長され、該洗濯槽２の前上部に回転ドラム３の内側に臨ませて設けられた噴射ヘッド54に接続してある。循環ポンプ52が駆動された場合、貯水槽５内の貯留水は、図２中に矢符により示す如く、循環水管53内を上昇し、噴射ヘッド54を経て回転ドラム３内に供給される。
【００３３】
フィルタ部51の他側は、排水弁55を介して排水管56に接続されている。排水弁55は、外部から与えられる動作信号に応じて開閉されるモータ駆動弁であり、該排水弁55が開放された場合、貯水槽５内の貯留水は、排水管56を介して機外に排出される。
【００３４】
また貯水槽５の側面には、底面から離れた位置に給水管60が接続されている。給水管60は、洗濯槽２の後部に沿って上方に延長され、給水弁61を介して給水口62に接続されている。給水口62は、図１に示すように、外箱１の後部上面に外向きに開口するように設けてあり、耐圧ホースを介して給水源（水道）に接続可能である。給水弁61は、外部から与えられる動作信号に応じて開放される電磁弁であり、該給水弁61が開放された場合、給水口62に接続された給水源からの給水は、給水管60を経て貯水槽５の内部に供給される。
【００３５】
給水管60の中途には、抗菌水生成器６が介装してある。抗菌水生成器６は、例えば、給水管60の途中に設けた水溜め部内に銀製の対向電極を配置し、これらの間に電圧を印加することにより、水溜め部の滞留水中に銀イオン（Ａｇ+ イオン）を溶出せしめるように構成されたイオン水生成器である。
【００３６】
貯水槽５への給水は、循環ポンプ52の駆動により、導水管50及びフィルタ部51を経て循環水管53に送り出され、噴射ヘッド54を介して回転ドラム３内にも供給されて貯留される。後述する洗濯運転及び濯ぎ運転は、図２中に示すように、回転ドラム３及び貯水槽５の内部に、所定深さの貯留水Ｗが夫々溜まった状態で実施される。回転ドラム３内の貯留水Ｗは、前記通水口33，33…を経て洗濯槽２内に流出し、流出位置の下に位置する貯水槽５内に回収され、循環水管53を経て再循環される。
【００３７】
洗濯槽２には、貯水槽５の連設部の後側下部の内面に、回転ドラム３に接触しない範囲で内向きに張り出すように仕切りリブ70が設けてある。該仕切りリブ70は、洗濯槽２の後半部（底板側の半部）に、貯水槽５が連設された前半部と仕切られた集水部７を形成している。集水部７は、最下部に接続された連通管71を介して排水管56に連通させてあり、洗濯槽２の内周壁の後半部、及び洗濯槽２の底板に沿って流下する水を集め、集められた水を連通管71を経て排水管56に排出すべく設けてある。
【００３８】
図１に示すように、外箱１前面の上部には、各種の操作のための操作キー及び各種の表示のための表示部を備える操作パネル15が設けてある。該操作パネル15は、これの内側に位置して外箱１の内部に設けた運転制御部16（図２参照）に接続してあり、以下に説明する洗濯運転、濯ぎ運転、及び脱水運転は、操作パネル15の操作に応じた運転制御部16の動作により、個々に独立した運転、又は相互に関連した一連の運転として実行される。
【００３９】
洗濯運転は、前蓋10を開放して回転ドラム３の内部に洗濯物を投入し、前蓋10を閉止した後、前述したように、貯水槽５及び回転ドラム３の内部に洗濯水を給水し、ドラムモータ４を駆動して回転ドラム３を低速度にて反復回転させることにより実行される。洗濯水は、適量の洗剤が溶けた水であり、回転ドラム３内に洗濯物と共に洗剤を投入し、この洗剤を、該回転ドラム３内への給水により溶かすことにより生成してもよく、また公知のように、給水管60の途中に洗剤ケースを配し、給水管60内を流れる水を洗剤ケース内に通すことにより、該洗剤ケース内に予め供給した洗剤を溶かして、貯水槽５内に直接的に洗濯水を給水することもできる。
【００４０】
このように給水される洗濯水は、貯水槽５及び回転ドラム３の内部に貯留水Ｗとして溜まり、該回転ドラム３内の洗濯物を濡らす。この状態で回転ドラム３が回転した場合、洗濯物は、回転ドラム３の内周面に突設されたバッフル31の作用による持ち上げ及び落下を繰り返し、回転ドラム３の内周面に叩き付けられて洗浄される。
【００４１】
このような洗濯運転の間、循環ポンプ52は連続的又は間欠的に駆動され、貯水槽５内の洗濯水を吸い込み、加圧して、循環水管53を経て噴射ヘッド54から噴射させる。このように噴射される洗濯水は、回転ドラム３内の洗濯物に均等に降り注ぎ、該洗濯物を良好に濡らして洗浄効果を高めるように作用する。回転ドラム３内の余剰な洗濯水は、該回転ドラム３の前部に設けた通水口33，33…から漏れ出し、これらの下に位置する貯水槽５内に回収されて、循環ポンプ52の動作により再循環される。
【００４２】
以上の如く循環する洗濯水は、フィルタ部51を通り、該フィルタ部51が備えるリントフィルタは、洗濯水中に含まれる繊維屑を捕捉、除去する。これにより、洗濯物への繊維屑の付着を防止し、仕上がり品質を高めることができる。リントフィルタは、フィルタ部51から取り外し、捕捉物を除去して再使用される。
【００４３】
濯ぎ運転は、以上の洗濯運転の終了後、洗濯槽２内の洗濯水を排水し、洗剤を含まない濯ぎ水を給水して、回転ドラム３を低速回転せしめて実行する。洗濯物は、回転ドラム３内に溜まる濯ぎ水中に浸され、洗濯運転時と同様に、回転ドラム３内での持ち上げ、落下を繰り返すことで濯がれる。
【００４４】
洗濯水は、排水弁55を開放することにより、排水管56を経て機外に排水される。この排水に際しても、フィルタ部51のリントフィルタは、排水中に含まれる繊維屑等の異物を捕捉、除去し、排水管56を経て公共下水道に異物が排出されることを防止するように作用する。以上の濯ぎ運転は、濯ぎ水を入れ換えて複数回実施される。循環ポンプ52は、このような濯ぎ運転中にも、濯ぎ水を循環させ、洗濯物の濯ぎ効果を高めるべく駆動される。
【００４５】
脱水運転は、回転ドラム３を高速回転せしめて行われる。回転ドラム３内の洗濯物は、該回転ドラム３の周面に張り付いた状態で回転し、該洗濯物に含まれる水は、遠心力の作用により離脱して、内周面に設けた通水溝32，32…内に溜まる。前述したように回転ドラム３は、開口30が設けられた前部が大径となっており、通水溝32，32…内に溜まった水は、各通水溝32，32…に沿って拡径側（前方）に流れ、当該位置に設けた複数の通水孔33，33…を通って回転ドラム３の外部に排出される。この脱水運転は、複数回の濯ぎ運転の前にも、洗濯物に含まれる水を一旦脱水し、濯ぎ効果を高めるべく実施される。
【００４６】
このような脱水運転において、洗濯物からの脱水（洗濯水又は濯ぎ水）は、回転ドラム３の周面全体に形成された通水孔33，33…から飛び出し、その多くは、回転ドラム３の外側を囲繞する洗濯槽２の周壁に当って反射し、下方に流下して貯水槽５に回収される。前述したように、通水孔33，33…は、回転ドラム３の前側（開口30の近傍）にのみ設けてあり、貯水槽５は、洗濯槽２の前側下部に連設してあるから、該貯水槽５内への脱水の回収は良好に行われる。
【００４７】
貯水槽５に回収された水は、排水弁55を開放することにより、排水管56を経て機外に排水することができる。この排水は、各回の濯ぎ運転において、脱水完了後に実施するのが望ましい。これにより。脱水時の回転ドラム３の高速回転は、貯水槽５内に貯留水Ｗが存在する状態でなされ、この貯留水Ｗがウエイトとして機能し、回転ドラム３の高速回転に伴う洗濯槽２の振動を抑制する作用をなすから、静粛な運転を実現することができる。なお振動抑制効果は、図２に示すように貯水槽５を、振幅が大きい洗濯槽２の前側（底板から離れた側）に可及的に寄せて設けることで良好になる。
【００４８】
給水管60の中途に設けた抗菌水生成器６は、例えば、最終回の濯ぎ運転の際に動作させる。これにより、貯水槽５及び回転ドラム３の内部には、銀イオンを含むイオン水が給水され、最終回の濯ぎ運転は、イオン水を濯ぎ水として実行される。イオン水中に含まれる銀イオンは、回転ドラム３内の洗濯物をコーティングし、該洗濯物を抗菌、防臭する作用をなし、洗濯物の仕上がり品質が向上する。
【００４９】
また、イオン水に含まれる銀イオンは、導水管50、フィルタ部51、循環ポンプ52及び循環水管53を含む循環水路、並びに、貯水槽５、回転ドラム３及び洗濯槽２等、濯ぎ運転中に接触する各部をコーティングするから、運転終了後の待機中の湿潤な環境下において、前記各部に黒カビ等のカビ類が発生することを防止し、清浄に保つことができる。なお、貯水槽５及び循環水路の内面には、更に抗菌処理を施すことにより、カビ類の発生をより確実に防止することができる。抗菌処理は、例えば、前記各部を抗菌性樹脂、ステンレス綱等の抗菌性材料製とすることで実現される。
【００５０】
このように供給されるイオン水は、最終回の濯ぎ運転、及びその後の脱水運転の終了後にも排水せずに貯留槽５内に留めておき、次回の洗濯運転時の洗濯水として再利用することで節水効果を高めることができる。なお、イオン水の給水は、最終回の濯ぎ運転時だけでなく、洗濯運転時、及び複数回の濯ぎ運転時の全てにおいて実施してもよい。
【００５１】
一方、脱水時に水を排出する通水孔33，33…は、回転ドラム３の全周に設けてあり、これら通水孔33，33…から飛び出す水の一部は、洗濯槽２の上部周壁に付着し、図２中に白抜矢符により示すように、該周壁に沿って後方に流れ、洗濯槽２の底板に沿って下方に流れる経路を辿る。洗濯槽２の底板は、回転ドラム３の底板と近接対向しており、汚れ及び洗剤成分を含む付着水が残り易いことから、黒カビ等のカビ類が発生する虞れが高く、底板に沿って前述したように流下する水は、該底板に発生したカビ類に接触し、これら含んで流下することとなる。
【００５２】
本発明の洗濯機においては、前述したように、洗濯槽２の後下部に、仕切りリブ70により前半部と仕切られた集水部７が設けられ、該集水部７は、連通管71を介して排水管56に連通している。従って、洗濯槽２の底板に沿って流下し、カビ類を含む虞れが高い水は、貯水槽５に戻るのではなく、前記集水部７に集められて連通管71及び排水管56を経て機外に排出される。これにより、カビ類を含む水が循環水路を経て回転ドラム３内に給水され、該回転ドラム３の洗濯物に付着することを防止することができ、前述したイオン水による抗菌との相乗効果により洗濯物の仕上がりを良好にすることができる。
【００５３】
図３は、本発明の他の実施の形態に係る洗濯機の内部構成を略示する縦断面図である。本図に示す洗濯機は、全長に亘って略等径の有底円筒形をなし、周壁全体に多数の通水孔33，33…（一部のみ図示）が貫通形成された汎用の回転ドラム３を備えている。給水管60は、洗濯槽２の上部周壁に接続されており、該給水管60を経て供給される洗濯水又は濯ぎ水は、洗濯槽２の内部に直接的に導入され、周壁の通水孔33，33…を経て回転ドラム３内にも浸入し、図示のように貯留水Ｗとして溜まり、該回転ドラム３内の洗濯物を濡らすように構成されている。なお給水管60の中途には、前述した抗菌水生成器６及び洗剤ケースを設けてもよい。
【００５４】
洗濯槽２は、最下部に接続した導水管50を介してフィルタ部51に接続してあり、前述した実施の形態におけると同様に、フィルタ部51の一側には循環水管53が、他側には排水管56が夫々接続されている。洗濯槽２及び回転ドラム３内の貯留水Ｗは、洗濯又は濯ぎ運転中には、循環ポンプ52の駆動により循環水管53及び噴射ヘッド54を経て回転ドラム３内に循環される一方、洗濯又は濯ぎ運転の終了後には、排水弁55の開放により排水管56を経て機外に排出される。
【００５５】
図３に示す洗濯機において、洗濯槽２の底板には、ドラムモータ４の固設部の下位置を後方に向けて窪ませて集水部７が設けられ、該集水部７は、最下部に接続された連通管71を介して排水管56の中途部に連通させてある。集水部７の前下部には、斜め上向きに張り出すように止水リブ72が設けてある。該止水リブ72は、洗濯槽２及び回転ドラム３内の貯留水Ｗの水面よりも上位置となる先端を有しており、前記貯留水Ｗが集水部７に流れ込むことを防止する作用をなしている。
【００５６】
この洗濯機においても、回転ドラム３の内部から通水孔33，33…を経て飛び出す洗濯水又は濯ぎ水の一部は、洗濯槽２の底板に沿って流下するが、この流下水は、集水部７中に集められ、連通管71及び排水管56を経て機外に排出されるから、流下水中に含まれる黒カビ等のカビ類が貯留水Ｗ中に混入し、これらのカビ類が回転ドラム３内の洗濯物に付着する虞れを緩和して、該洗濯物の仕上がり品質を高めることができる。
【００５７】
図３に示す洗濯機の他の構成は、図２に示す洗濯機と同様であり、対応する構成部材に図２と共通の参照符号を付して、構成及び動作の説明を省略する。
【００５８】
なお、以上の実施の形態においては、回転ドラム３及び洗濯槽２が、水平面に対して傾いた姿勢で支持された斜めドラム式の洗濯機について説明したが、本発明は、洗濯槽２及び回転ドラム３が略水平に支持された横ドラム式の洗濯機にも適用可能であることは言うまでもない。
【符号の説明】
【００５９】
２    洗濯槽
３    回転ドラム
４    ドラムモータ
５    貯水槽
６    抗菌水生成器
７    集水部
33    通水孔
53    循環水管
56    排水管
60    給水管
71    連通管
33    通水孔
【図１】
2011250944.tif 000003
【図２】
2011250944.tif 000004
【図３】
2011250944.tif 000005